(57)【要約】      （修正有）【課題】着用時の形状や運動が不自然にならずに、且つ、風によるスカートの捲り上がりを防止することができるスカートを提供する。【解決手段】スカートの裾１５に錘２１を設ける。錘２１は、厚みが１ｃｍ以内、高さ７ｃｍ以内、横幅７ｃｍ以内とすることで、スカートの形状を必要以上に変形させるこがない。錘２１を、複数個がスカートの裾１５に等間隔、またはプリーツ１２の形状に合わせて配置する。裾１５に錘２１を保持する袋状などの保持部を設けることも望ましい。【選択図】図１
0003181344.tif 000002
【実用新案登録請求の範囲】
【請求項１】
スカートの裾に錘を備えたことを特徴とするスカート。
【請求項２】
前記錘は、厚みが１cm以内であることを特徴とする請求項１記載のスカート。
【請求項３】
前記錘は、高さ７cm以内、横幅７cm以内であることを特徴とする請求項２記載のスカート。
【請求項４】
前記錘は、複数個がスカートの裾に等間隔、またはプリーツの形状に合わせて配置されていることを特徴とする請求項２又は３記載のスカート。
【請求項５】
スカートの裾に錘の保持部を備えたことを特徴とするスカート。
【請求項６】
前記保持部は、錘を着脱可能に収納する袋状部分であることを特徴とする請求項５記載のスカート。
【請求項７】
前記保持部は、複数個がスカートの裾に等間隔、またはプリーツの形状に合わせて配置されていることを特徴とする請求項６記載のスカート。
【考案の詳細な説明】
【技術分野】
【０００１】
本考案は、スカートの改良に関するものである。
【背景技術】
【０００２】
スカートは、主として女性が着用する下衣として定着しているが、着席時や風によってスカートがめくれて、下着などが見えるという課題がある。この課題を改善する提案として、特許文献１〜３のものが知られている。
【０００３】
特許文献１は、スカートと着用者の大腿部とをつなぐための紐をスカートの内側に装着し、強風によりスカートが捲れてしまうことを防止することを提案している。
特許文献２は、スカートの内側にボタンを取り付け、これに対向する位置にボタンホールを設けておき、ボタンをボタンホールに止めることによって、突風等によって、スカートが捲れてしまうことを防止するものである。
【０００４】
特許文献３は、短めのスカートを身に着けてイスなどに座った際、合わせた左右の大腿部の間と上方にできた隙間と、スカートの裾部の間にできる隙間からスカートの奥の下着の一部が、正面前方から見えないようにすることを目的とする。特許文献３に係るスカートは、正面に位置しているスカートの裾部下側の裏地側に遮蔽部を取りつけ、遮蔽部に重し部を設けることにより、座るだけで重し部が重力により下に引っ張られ、一緒に遮蔽部も左右の大腿部にできた隙間に向けて垂れ下がるようにしたものである。
ところが、これらの提案は、いずれも自然な歩行が困難になったり、不自然な遮蔽部を有するものであり、シルエットを損なうおそがある。
【先行技術文献】
【特許文献】
【０００５】
【特許文献１】登録実用新案第３１２６０００号公報
【特許文献２】特開２０１１−９９１９４号公報
【特許文献３】特開２００４−９２０００１号公報
【考案の概要】
【考案が解決しようとする課題】
【０００６】
本考案は、着用時の形状や運動が不自然にならずに、且つ、風によるスカートの捲り上がりを防止することができるスカートの提供を課題とする。
【課題を解決するための手段】
【０００７】
本考案は、スカートの裾に錘を備えたことを特徴とするスカートを提供することによって、上記の課題を解決する。
【０００８】
前記錘は、厚みが１cm以内のものを用いることによって、日常生活で錘の存在が邪魔になることを防止できる。また、前記錘は、高さ７cm以内、横幅７cm以内とすることで、スカートの形状を必要以上に変形させず、スカートのデザインやシルエットを損なうことがない。また、前記錘を、複数個がスカートの裾に等間隔、またはプリーツの形状に合わせて配置することによって、スカートの全体のバランスが崩れることがない。
【０００９】
本考案は、スカートの裾に錘の保持部を備えたことを特徴とするスカートを提供する。このように、スカートの裾に錘の保持部を設けることによって、コイン等の錘となるものを保持部に保持させることで、簡単に錘付きスカートを提供できるものである。
【００１０】
前記保持部を、錘を着脱可能に収納する袋状部分とすることによって、錘付きのスカートと錘無しのスカートとの２役を果たすことができる。また、前記保持部を、複数個がスカートの裾に等間隔、またはプリーツの形状に合わせて配置さすることによって、スカートの全体のバランスやシルエットが崩れることを防ぐことができる。
【考案の効果】
【００１１】
以上のように、本考案は、着用時の形状や運動が不自然にならずに、且つ、風によるスカートの捲り上がりを防止することができるスカートを提供することができたものである。
【図面の簡単な説明】
【００１２】
【図１】本考案の実施の形態に係るスカートの斜視図である。
【図２】（Ａ）同スカートの裾部の内面側から見た説明図、（Ｂ）同スカートの要部縦断面の構造説明図、（Ｂ）同スカートの変更例を示す要部縦断面の構造説明図、（Ｃ）同スカートのさらに他の変更例を示す要部縦断面の構造説明図、（Ｄ）同スカートの保持部の他の変更例を示す拡大説明図、（Ｆ）同要部縦断面の構造説明図である。
【図３】本考案の実施の形態に係るスカートの裾部の横断面の説明図である。
【考案を実施するための形態】
【００１３】
以下、図面に基づき本考案の実施の形態を説明する。
図１に示すスカート１１は、多数のプリーツ１２を有するプリーツスカートで、その裾１５の内面に錘２１を備えている。なお、図１及び図３において、スカート１１の前方側をＦ、後方側をＢの符号で示す。
この錘２１の取り付け構造の詳細を図２（Ａ）（Ｂ）を参照して説明する。このスカート１１の錘２１は、通常のスカートと同様、下端を内側上方に折り返した折り返し布１６を備え、まつり縫い部分１７によって、表裏の布が縫着されている。この折り返し布１６の内側に、保持部２２が設けれている。この保持部２２は、袋状をなすもので、具体的には、袋用布２３を折り返し布１６の内側に縫着部分２４によって縫い付けたものである。縫着部分２４は、袋用布２３の左右両辺と底辺であり、上部が開口部分２５となっている。従って、錘２１を開口部分２５から挿入することによって、錘２１は袋用布２３と折り返し布１６との間に保持される。なお、本考案の説明において、内側は着用者の身体に近い方、外側は着用者の身体から遠い方を言う。
【００１４】
錘２１は、５円、１０円、５０円、１００円、５００円等のコインを用いることもでき、コイン形状の金属板製の錘とすることもでき、さらに、平面視矩形や楕円形などの他の形状であってもよい。厚みは、１cm以内であることが望ましく、５mm以内であることがより望ましい。大きさは、高さ７cm以内、横幅７cm以内であることが望ましく、より望ましくは高さ３cm以内、横幅３cm以内である。
【００１５】
錘２１は、縫製やクリップ等の適宜の固定手段で固定することができる。
具体的な一例を１０円玉で示すと、その大きさは直径２３mmである。従って、１０円玉よりも一回り大きな２５mm程度の大きさの袋用布２３をスカートに縫着した保持部２２とすることによって、錘２１を保持部２２に着脱可能に保持させることができる。保持部２２の深さは、錘２１よりも大きくしておくことが望ましく、折り返し布１６の全高に及ぶものであってもよい。このように保持部２２が袋状の場合、その大きさは、錘２１を着脱可能に収納できる大きさとし、上記の錘２１と合わせて、高さ７cm以内、横幅７cm以内であることが望ましく、より望ましくは高さ３cm以内、横幅３cm以内である。
【００１６】
保持部２２は、スカート下端の折り返し布１６に縫着することが望ましく、これによってスカート１１の表側から見えることがないため、外観上は通常のスカートと全く遜色がない。
保持部２２は、図２（Ｅ）（Ｆ）に示すように、蓋用布２７によって蓋が出来るようにしておくことが望ましい。この例の蓋用布２７は、その下端が袋用布２３の上端に僅かに重なるように、その左右辺と上辺とが縫い付けられている。これによって、錘２１を、蓋用布２７の下端と袋用布２３の上端との間を広げて、保持部２２内に挿入でき、挿入された錘２１は不用意に保持部２２から飛び出すことはない。蓋の構造は、布片で構成してもよいが、ボタンや面ファスナなどの係止具によって蓋ができるようにしてもよい。
【００１７】
上記の例では、保持部２２を折り返し布１６の外側に設けたが、図２（Ｃ）に示すように、内側に設けることもできる。この場合、袋用布２３は、スカート１１の裏側からも見えなくなり、デザイン上では最も好ましいが、この袋用布２３を設けた箇所では、上記のまつり縫い部分１７を形成することができないことになる。
【００１８】
また、上記の例では、袋用布２３と折り返し布１６との間に形成された袋状の部分に錘２１を収納したが、図２（Ｄ）に示すように、保持部２２を表裏のある袋体２６として実施することもでき、この袋体２６を折り返し布１６の内側又は外側に縫着部分２４で取り付けるようにしてもよい。
【００１９】
この保持部２２を設ける個数や位置は適宜変更して実施することができる。一例としては、図３に示すように、保持部２２をスカート１１の前中央、左後方、右後方の合計３個に略等間隔で配置することができる。この図３の例では、２０本のプリーツ１２として、スカート１１の脇ｙから右回りに（スカートの前側に向けて）６本目、１２本目、１８本目のプリーツ１２の箇所に取り付けているが、これらは、スカート１１のプリーツ１２の数や錘２１の大きさなどによって種々変更して実施することができる。例えば、錘２１を、前後左右の４箇所に設けたり、比較的軽い錘を多数（例えば８個や１０個以上）設けたりすることもできる。
【００２０】
また、図３の例では、プリーツ１２を形成する山線１３と谷線１４のうち、谷線１４に沿わせて配置した。これによって、錘２１及び保持部２２がプリーツ１２の襞の中に隠れるため、錘２１及び保持部２２の存在がスカート１１の外側から気づかれるおそれが少なくなる。
【００２１】
保持部２２は、袋状のものの他、着脱可能な取付金具に変更して実施することもできる。また、錘２１は直接又は間接的にスカート１１に取り付けるものとして実施することができるが、布やメッシュなどの非金属製のシート製の袋用布２３を用いて製造し、錘２１の装着は消費者の判断で行なうようにすることが、最も望ましい。これによって、製造出荷段階では金属探知機による検査が容易になり、消費者にとっても、自分の好みで錘２１を用いるか否かを決めることができる。
【符号の説明】
【００２２】
１１  スカート
１２  プリーツ
１３  山線
１４  谷線
１５  裾
１６  折り返し布
１７  まつり縫い部分
２１  錘
２２  保持部
２３  袋用布
２４  縫着部分
２５  開口部分
２６  袋体
２７  蓋用布
【図１】
0003181344.tif 000003
【図２】
0003181344.tif 000004
【図３】
0003181344.tif 000005